(57)【特許請求の範囲】
【請求項１】
デジタル形式の拡張左音声信号及び拡張右音声信号が入力されてアナログ形式の拡張左音声信号及び拡張右音声信号を出力する、あるいは、デジタル形式のサブルーム用左音声信号及びサブルーム用右音声信号が入力されてアナログ形式のサブルーム用左音声信号及びサブルーム用右音声信号を出力するデジタルアナログ変換手段と、
前記デジタルアナログ変換手段に、拡張左音声信号及び拡張右音声信号の組合わせ、又は、サブルーム用左音声信号及びサブルーム用右音声信号の組合わせのいずれを供給するかを切換える入力切換手段とを備える、音声処理装置。
【請求項２】
拡張左音声出力端子と、
拡張右音声出力端子と、
サブルーム用左音声出力端子と、
サブルーム用右音声出力端子と、
前記拡張左音声出力端子に前記デジタルアナログ変換手段から出力される拡張左音声信号を供給し、かつ、前記拡張右音声出力端子に前記デジタルアナログ変換手段から出力される拡張右音声信号を供給するか、あるいは、前記サブルーム用左音声出力端子に前記デジタルアナログ変換手段から出力されるサブルーム用左音声信号を供給し、かつ、前記サブルーム用右音声出力端子に前記デジタルアナログ変換手段から出力されるサブルーム用右音声信号を供給するかを切換える出力切換手段とをさらに備える、請求項１に記載の音声処理装置。
【請求項３】
デジタル形式の第１左音声信号及び第１右音声信号が入力されてアナログ形式の第１左音声信号及び第１右音声信号を出力する、あるいは、デジタル形式の第１左音声信号及び拡張左音声信号が入力されてアナログ形式の第１左音声信号及び拡張左音声信号を出力する第１デジタルアナログ変換手段と、
デジタル形式のサブルーム用左音声信号及びサブルーム用右音声信号が入力されてアナログ形式のサブルーム用左音声信号及びサブルーム用右音声信号を出力する、あるいは、デジタル形式の第１右音声信号及び拡張右音声信号が入力されてアナログ形式の第１右音声信号及び拡張右音声信号を出力する第２デジタルアナログ変換手段と、
前記第１デジタルアナログ変換手段に、第１左音声信号及び第１右音声信号の組合わせを供給し、前記第２デジタルアナログ変換手段に、サブルーム用左音声信号及びサブルーム用右音声信号の組合わせを供給する、又は、前記第１デジタルアナログ変換手段に、第１左音声信号及び拡張左音声信号の組合わせを供給し、前記第２デジタルアナログ変換手段に、第１右音声信号及び拡張右音声信号の組合わせを供給するかを切換える入力切換手段とを備える、音声処理装置。
【請求項４】
前記第１デジタルアナログ変換手段から出力される第１左音声信号を供給し、かつ、前記第１デジタルアナログ変換手段から出力される第１右音声信号を供給し、かつ、前記第２デジタルアナログ変換手段から出力されるサブルーム用左音声信号を供給し、かつ、前記第２デジタルアナログ変換手段から出力されるサブルーム用右音声信号を供給するか、あるいは、前記第１デジタルアナログ変換手段から出力される第１左音声信号を供給し、かつ、前記第２デジタルアナログ変換手段から出力される第１右音声信号を供給し、前記第１デジタルアナログ変換手段から出力される拡張左音声信号を供給し、かつ、前記第２デジタルアナログ変換手段から出力される拡張右音声信号を供給するかを切換える出力切換手段をさらに備える、請求項３に記載の音声処理装置。
【請求項５】
第１左音声出力端子と、
第１右音声出力端子と、
拡張左音声出力端子と、
拡張右音声出力端子と、
サブルーム用左音声出力端子と、
サブルーム用右音声出力端子とをさらに備え、
前記出力切換手段が、前記第１左音声出力端子に前記第１デジタルアナログ変換手段から出力される第１左音声信号を供給し、かつ、前記第１右音声出力端子に前記第１デジタルアナログ変換手段から出力される第１右音声信号を供給し、かつ、前記サブルーム用左音声出力端子に前記第２デジタルアナログ変換手段から出力されるサブルーム用左音声信号を供給し、かつ、前記サブルーム用右音声出力端子に前記第２デジタルアナログ変換手段から出力されるサブルーム用右音声信号を供給するか、あるいは、前記第１左音声出力端子に前記第１デジタルアナログ変換手段から出力される第１左音声信号を供給し、かつ、前記第１右音声出力端子に前記第２デジタルアナログ変換手段から出力される第１右音声信号を供給し、前記拡張左音声出力端子に前記第１デジタルアナログ変換手段から出力される拡張左音声信号を供給し、かつ、前記拡張右音声出力端子に前記第２デジタルアナログ変換手段から出力される拡張右音声信号を供給するかを切換える、請求項４に記載の音声処理装置。
【請求項６】
第１差動回路と、第２差動回路とをさらに備え、
前記第１デジタルアナログ変換手段が、入力される第１左音声信号に基づいて、第１左音声信号と、第１左音声信号の反転信号とを出力し、
前記第２デジタルアナログ変換手段が、入力される第１右音声信号に基づいて、第１右音声信号と、第１右音声信号の反転信号とを出力し、
前記第１差動回路が、前記第１デジタルアナログ変換手段から出力される第１左音声信号が正側入力に入力され、前記第１デジタルアナログ変換手段から出力される第１左音声信号の反転信号が負側入力に入力されることにより、第１左音声信号の振幅を倍増させた信号を出力し、
前記第２差動回路が、前記第２デジタルアナログ変換手段から出力される第１右音声信号が正側入力に入力され、前記第２デジタルアナログ変換手段から出力される第１右音声信号の反転信号が負側入力に入力されることにより、第１右音声信号の振幅を倍増させた信号を出力し、
前記出力切換手段が、前記態様に加えて、さらに、前記第１差動回路から出力される第１左音声信号を前記第１左音声出力端子に供給し、前記第２差動回路から出力される第１右音声信号を前記第１右音声出力端子に供給するかを切換える、請求項５に記載の音声処理装置。
【請求項７】
前記拡張左音声信号が、サラウンド後方左音声信号、左外側音声信号、左上側音声信号及び左中央側音声信号のいずれかであり、
前記拡張右音声信号が、サラウンド後方右音声信号、右外側音声信号、右上側音声信号及び右中央側音声信号のいずれかである、請求項１〜６のいずれかに記載の音声処理装置。
【請求項８】
前記第１左音声信号が、前方左音声信号及びサラウンド左音声信号のいずれかであり、
前記第１右音声信号が、前方右音声信号及びサラウンド右音声信号のいずれかである、請求項３〜６のいずれかに記載の音声処理装置。
【発明の詳細な説明】
【技術分野】
【０００１】
本発明は、マルチチャンネル音声データを再生する音声処理装置に関する。
【背景技術】
【０００２】
ＡＶアンプ等の音声処理装置と、ＢＤ（ブルーレイ）プレーヤ等のコンテンツ再生装置と、ＡＶアンプに接続される複数のスピーカー（メインルーム用スピーカー及びサブルーム用スピーカー）を備える音声処理システムが利用されている。ＡＶアンプ、ＢＤプレーヤおよびメインルーム用スピーカーは、メインルームに配置される。サブルーム用スピーカーはサブルームに配置される。ＡＶアンプは、ＢＤプレーヤから送信されるマルチチャンネル音声データを受信し、受信したマルチチャンネル音声データに基づいて、増幅した音声信号をメインルーム用スピーカー及びサブループ用スピーカーに供給する。その結果、１つのＡＶアンプおよび１つのＢＤプレーヤを使用して、メインルームに配置されたメインルーム用スピーカー及びサブルームに配置されたサブルーム用スピーカーの双方においてオーディオ信号を再生することができる。
【０００３】
ＡＶアンプには、ＢＤプレーヤから送信されたマルチチャンネル音声データ（すなわちデジタル音声信号）をアナログ音声信号に変換するためにＤＡ（デジタルアナログ）変換回路が設けられている。また、ＡＶアンプが、音声処理を実行するためのＤＳＰ（デジタルシグナルプロセッサ）を備える場合、ＡＶアンプは入力されるアナログ音声信号をＡＤ（アナログデジタル）変換回路において一旦デジタル音声信号に変換した後、ＤＳＰにおいて音声処理を実行し、その後、ＤＡ変換回路においてアナログ音声信号に再変換する。
【０００４】
従来のＡＶアンプにおいて、メインルームに配置されたメインルーム用スピーカーに供給するためのアナログ音声信号を生成するためのＤＡ変換回路に加えて、サブルームに配置されたサブルーム用スピーカーに供給するためのアナログ音声信号を生成するためのＤＡ変換回路を設ける必要がある。メインルームで再生されるマルチチャンネル音声データは、図３に示すように、左音声信号Ｌ（前方左音声信号）、右音声信号Ｒ（前方右音声信号）、中央音声信号Ｃ、低域左音声信号ＳＷＬ、低域右音声信号ＳＷＲ、サラウンド左音声信号ＳＬ、サラウンド右音声信号ＳＲ、サラウンド後方左音声信号ＳＢＬ、サラウンド後方右音声信号ＳＢＲ、左外側音声信号ＬＷ、右外側音声信号ＲＷ、左上側音声信号ＬＨ、右上側音声信号ＲＨ等が含まれる。従って、これらのチャンネルの音声信号に対応するＤＡ変換回路に加えて、サブルーム用の音声信号に対応するＤＡ変換回路を設ける必要がある。従って、ＤＡ変換回路の数が多くなってしまい、コストや回路規模が増大するという問題がある。
【先行技術文献】
【特許文献】
【０００５】
【特許文献１】特開２０１１−２２９１１３号公報
【特許文献２】特開２０１０−１８３２０３号公報
【特許文献３】特開２０１０−１１４６４０号公報
【特許文献４】特開２０１０−１８３２０２号公報
【発明の概要】
【発明が解決しようとする課題】
【０００６】
本発明は上記従来の課題を解決するためになされたものであり、その目的は、メインルームに配置される機器に加えてサブルームに配置される機器に音声信号を出力する音声処理装置において、デジタルアナログ変換器の数を削減することができる音声処理装置を提供することである。
【課題を解決するための手段】
【０００７】
本発明の好ましい実施形態による音声処理装置は、デジタル形式の拡張左音声信号及び拡張右音声信号が入力されてアナログ形式の拡張左音声信号及び拡張右音声信号を出力する、あるいは、デジタル形式のサブルーム用左音声信号及びサブルーム用右音声信号が入力されてアナログ形式のサブルーム用左音声信号及びサブルーム用右音声信号を出力するデジタルアナログ変換手段と、前記デジタルアナログ変換手段に、拡張左音声信号及び拡張右音声信号の組合わせ、又は、サブルーム用左音声信号及びサブルーム用右音声信号の組合わせのいずれを供給するかを切換える入力切換手段とを備える。
【０００８】
本実施形態の音声処理装置においては、拡張左音声信号及び拡張右音声信号をデジタルアナログ変換するデジタルアナログ変換手段と、サブルーム用左音声信号及びサブルーム用右音声信号をデジタルアナログ変換するデジタルアナログ変換手段とを兼用することにより、デジタルアナログ変換手段の個数を削減することができる。また、仮に、基本の５．１ｃｈの内のある音声信号（例えば、サラウンド左音声信号、サラウンド右音声信号）をデジタルアナログ変換するデジタルアナログ変換手段と兼用させる場合には、サブルーム用左音声信号及びサブルーム用右音声信号を再生する場合に、サラウンド左音声信号、サラウンド右音声信号を再生することができなくなる。しかし、本実施形態によると、拡張左音声信号及び拡張右音声信号をデジタルアナログ変換するデジタルアナログ変換手段と兼用させているので、基本の５．１ｃｈの音声信号を再生しながら、サブルーム用左音声信号及びサブルーム用右音声信号を再生することができる。
【０００９】
好ましい実施形態においては、上記音声処理装置は、拡張左音声出力端子と、拡張右音声出力端子と、サブルーム用左音声出力端子と、サブルーム用右音声出力端子と、前記拡張左音声出力端子に前記デジタルアナログ変換手段から出力される拡張左音声信号を供給し、かつ、前記拡張右音声出力端子に前記デジタルアナログ変換手段から出力される拡張右音声信号を供給するか、あるいは、前記サブルーム用左音声出力端子に前記デジタルアナログ変換手段から出力されるサブルーム用左音声信号を供給し、かつ、前記サブルーム用右音声出力端子に前記デジタルアナログ変換手段から出力されるサブルーム用右音声信号を供給するかを切換える出力切換手段とをさらに備える。
【００１０】
本実施形態の音声処理装置においては、サブルーム用左音声出力端子と、サブルーム用右音声出力端子とが、拡張左音声出力端子と、拡張右音声出力端子とは別個に設けられている。なお、サブルーム用左音声出力端子及びサブルーム用右音声出力端子は、特に限定されないが、スピーカー端子でも、プリアウト端子でも良い。そして、出力切換手段によって、再生すべきチャンネルの出力端子に音声信号を供給することができる。
【００１１】
本発明の別の好ましい実施形態による音声処理装置は、デジタル形式の第１左音声信号及び第１右音声信号が入力されてアナログ形式の第１左音声信号及び第１右音声信号を出力する、あるいは、デジタル形式の第１左音声信号及び拡張左音声信号が入力されてアナログ形式の第１左音声信号及び拡張左音声信号を出力する第１デジタルアナログ変換手段と、デジタル形式のサブルーム用左音声信号及びサブルーム用右音声信号が入力されてアナログ形式のサブルーム用左音声信号及びサブルーム用右音声信号を出力する、あるいは、デジタル形式の第１右音声信号及び拡張右音声信号が入力されてアナログ形式の第１右音声信号及び拡張右音声信号を出力する第２デジタルアナログ変換手段と、前記第１デジタルアナログ変換手段に、第１左音声信号及び第１右音声信号の組み合わせを供給し、前記第２デジタルアナログ変換手段に、サブルーム用左音声信号及びサブルーム用右音声信号の組み合わせを供給する、又は、前記第１デジタルアナログ変換手段に、第１左音声信号及び拡張左音声信号の組み合わせを供給し、前記第２デジタルアナログ変換手段に、第１右音声信号及び拡張右音声信号の組み合わせを供給するかを切換える入力切換手段とを備える。
【００１２】
本実施形態の音声処理装置においては、サブルーム用左音声信号及びサブルーム用右音声信号をデジタルアナログ変換するデジタルアナログ変換手段と、第１右音声信号及び拡張右音声信号をデジタルアナログ変換するデジタルアナログ変換手段とを兼用し（第２デジタルアナログ変換手段）、第１左音声信号及び第１右音声信号をデジタルアナログ変換するデジタルアナログ変換手段と、第１左音声信号及び拡張左音声信号をデジタルアナログ変換するデジタルアナログ変換手段とを兼用している（第１デジタルアナログ変換手段）ので、デジタルアナログ変換手段の個数を削減することができる。また、本実施形態によると、サブルーム用左音声信号及びサブルーム用右音声信号を再生する場合には、第１デジタルアナログ変換手段が、第１左音声信号及び第１右音声信号をデジタルアナログ変換するので、基本の５．１ｃｈの音声信号を再生しながら、サブルーム用左音声信号及びサブルーム用右音声信号を再生することができる。
【００１３】
好ましい実施形態においては、上記音声処理装置は、前記第１デジタルアナログ変換手段から出力される第１左音声信号を供給し、かつ、前記第１デジタルアナログ変換手段から出力される第１右音声信号を供給し、かつ、前記第２デジタルアナログ変換手段から出力されるサブルーム用左音声信号を供給し、かつ、前記第２デジタルアナログ変換手段から出力されるサブルーム用右音声信号を供給するか、あるいは、前記第１デジタルアナログ変換手段から出力される第１左音声信号を供給し、かつ、前記第２デジタルアナログ変換手段から出力される第１右音声信号を供給し、前記第１デジタルアナログ変換手段から出力される拡張左音声信号を供給し、かつ、前記第２デジタルアナログ変換手段から出力される拡張右音声信号を供給するかを切換える出力切換手段をさらに備える。
【００１４】
好ましい実施形態においては、上記音声処理装置は、第１左音声出力端子と、第１右音声出力端子と、拡張左音声出力端子と、拡張右音声出力端子と、サブルーム用左音声出力端子と、サブルーム用右音声出力端子とをさらに備え、前記出力切換手段が、前記第１左音声出力端子に前記第１デジタルアナログ変換手段から出力される第１左音声信号を供給し、かつ、前記第１右音声出力端子に前記第１デジタルアナログ変換手段から出力される第１右音声信号を供給し、かつ、前記サブルーム用左音声出力端子に前記第２デジタルアナログ変換手段から出力されるサブルーム用左音声信号を供給し、かつ、前記サブルーム用右音声出力端子に前記第２デジタルアナログ変換手段から出力されるサブルーム用右音声信号を供給するか、あるいは、前記第１左音声出力端子に前記第１デジタルアナログ変換手段から出力される第１左音声信号を供給し、かつ、前記第１右音声出力端子に前記第２デジタルアナログ変換手段から出力される第１右音声信号を供給し、前記拡張左音声出力端子に前記第１デジタルアナログ変換手段から出力される拡張左音声信号を供給し、かつ、前記拡張右音声出力端子に前記第２デジタルアナログ変換手段から出力される拡張右音声信号を供給するかを切換える。
【００１５】
好ましい実施形態においては、上記音声処理装置は、第１差動回路と、第２差動回路とをさらに備え、前記第１デジタルアナログ変換手段が、入力される第１左音声信号に基づいて、第１左音声信号と、第１左音声信号の反転信号とを出力し、前記第２デジタルアナログ変換手段が、入力される第１右音声信号に基づいて、第１右音声信号と、第１右音声信号の反転信号とを出力し、前記第１差動回路が、前記第１デジタルアナログ変換手段から出力される第１左音声信号が正側入力に入力され、前記第１デジタルアナログ変換手段から出力される第１左音声信号の反転信号が負側入力に入力されることにより、第１左音声信号の振幅を倍増させた信号を出力し、前記第２差動回路が、前記第２デジタルアナログ変換手段から出力される第１右音声信号が正側入力に入力され、前記第２デジタルアナログ変換手段から出力される第１右音声信号の反転信号が負側入力に入力されることにより、第１右音声信号の振幅を倍増させた信号を出力し、前記出力切換手段が、前記態様に加えて、さらに、前記第１差動回路から出力される第１左音声信号を前記第１左音声出力端子に供給し、前記第２差動回路から出力される第１右音声信号を前記第１右音声出力端子に供給するかを切換える。
【００１６】
本実施形態の音声処理装置においては、サブルーム用左音声信号及びサブルーム用右音声信号を再生しない場合に、第１左音声信号および第１右音声信号を差動回路を用いて、振幅値を倍増させて出力することができる。
【００１７】
好ましい実施形態においては、前記拡張左音声信号が、サラウンド後方左音声信号、左外側音声信号、左上側音声信号及び左中央側音声信号のいずれかであり、前記拡張右音声信号が、サラウンド後方右音声信号、右外側音声信号、右上側音声信号及び右中央側音声信号のいずれかである。
【００１８】
好ましい実施形態においては、前記第１左音声信号が、前方左音声信号及びサラウンド左音声信号のいずれかであり、前記第１右音声信号が、前方右音声信号及びサラウンド右音声信号のいずれかである。
【発明の効果】
【００１９】
本発明は、上記いずれかの構成を備えることによって、メインルームに配置される機器に加えてサブルームに配置される機器に音声信号を出力する音声処理装置において、デジタルアナログ変換器の数を削減することができる音声処理装置を提供することができる。
【図面の簡単な説明】
【００２０】
【図１】ＡＶアンプ及びスピーカーの配置を示す図である。
【図２】ＡＶアンプを含む音声再生システムを示すブロック図である。
【図３】マルチチャンネル音声データのチャンネルを説明する図である。
【図４】音声処理部の構成を示す回路ブロック図である。
【図５】音声処理部の変形例を示す回路ブロック図である。
【図６】音声処理部の変形例を示す回路ブロック図である。
【図７】別のマルチチャンネル音声データのチャンネルを説明する図である。
【図８】音声処理部の変形例を示す回路ブロック図である。
【図９】第２実施形態における音声処理部を示す回路ブロック図である。
【図１０】第２実施形態における音声処理部を示す回路ブロック図である。
【図１１】第２実施形態における音声処理部の変形例を示す回路ブロック図である。
【図１２】第２実施形態における音声処理部の変形例を示す回路ブロック図である。
【図１３】第２実施形態における音声処理部の変形例を示す回路ブロック図である。
【図１４】第２実施形態における音声処理部の変形例を示す回路ブロック図である。
【図１５】第２実施形態における音声処理部の変形例を示す回路ブロック図である。
【図１６】第２実施形態における音声処理部の変形例を示す回路ブロック図である。
【図１７】第２実施形態における音声処理部の変形例を示す回路ブロック図である。
【発明を実施するための形態】
【００２１】
以下、本発明の好ましい実施形態によるコンテンツ再生装置（以下、ＢＤプレーヤという。）、音声処理装置（以下、ＡＶアンプという。）及びディスプレイ装置を備える音声再生システムついて、図面を参照して具体的に説明するが、本発明はこれらの実施形態には限定されない。図１は、ＡＶアンプ１、及び、各スピーカーの配置の一例を説明する図である。ＢＤプレーヤ、ＡＶアンプ、ディスプレイ装置及びメインルーム用スピーカーはメインルームに配置され、サブルーム用スピーカーはサブルームに配置されている。サブルームは、商品上、ＺＯＮＥ２、ＺＯＮＥ３、ＺＯＮＥ４等と呼ばれている。
【００２２】
ＡＶアンプ１には、メインルーム用スピーカーである、左スピーカーＳＬ、右スピーカーＳＲ、中央スピーカーＳＣ、低域左スピーカーＳＳＷＬ、低域右スピーカーＳＳＷＲ、サラウンド左スピーカーＳＳＬ、サラウンド右スピーカーＳＳＲ、サラウンド後方左スピーカーＳＳＢＬ、サラウンド後方右スピーカーＳＳＢＲ、左上側スピーカーＳＬＨ、右上側スピーカーＳＲＨ、左外側スピーカーＳＬＷ、右外側スピーカーＳＲＷが接続されている。また、ＡＶアンプ１には、サブルーム用スピーカーである、サブルーム左スピーカーＳＺＬおよびサブルーム右スピーカーＳＺＲが接続されている。
【００２３】
図２は、音声再生システムの構成を示すブロック図である。ＢＤプレーヤ１００、ＡＶアンプ１及びディスプレイ装置２００は、例えばＨＤＭＩ規格に準拠し、ＨＤＭＩケーブルを介して相互に接続されている。ＢＤプレーヤ１００は、マルチチャンネル音声データ及び映像データを含むＨＤＭＩデータをＡＶアンプ１に送信する。ＡＶアンプ１は、ＢＤプレーヤ１００から受信したＨＤＭＩデータに含まれるマルチチャンネル音声データを増幅してスピーカーに出力する。また、ＡＶアンプ１は、映像データを含むＨＤＭＩデータをディスプレイ装置２００に送信する。ディスプレイ装置２００は、ＡＶアンプ１から受信したＨＤＭＩデータに含まれる映像データを表示する。
【００２４】
ＡＶアンプ１は、制御部２と、ＨＤＭＩ受信部３と、ＨＤＭＩ送信部４と、音声処理部５と、操作部６と、表示部７と、ＨＤＭＩ端子８、９とを有している。ＡＶアンプ１には、スピーカー３００（図１の各メインルーム用スピーカー及びサブルーム用スピーカーに相当）が接続されている。
【００２５】
ＨＤＭＩ受信部３は、ＢＤプレーヤ１００から送信されたＨＤＭＩデータを受信して、受信したＨＤＭＩデータから元の映像データを生成し、ＨＤＭＩ送信部４に供給する。また、ＨＤＭＩ受信部３は、受信したＨＤＭＩデータから元のマルチチャンネル音声データを生成して、音声処理部５に供給する。
【００２６】
音声処理部５は、ＨＤＭＩ受信部３から供給されたマルチチャンネル音声データをデコードし、音響処理、Ｄ／Ａ変換処理、ボリューム調整処理、増幅処理等の各処理を実行し、スピーカー３００に各チャンネルの音声信号を供給する。音声処理部５に供給されるマルチチャンネル音声データについて説明する。Dolby True HD、Dolby Digital Plus、DTS-HD等のＨＤ（High Definition）関連の音声フォーマットにおいては、図３に示すように、例えば、左音声信号Ｌ（前方左音声信号）、右音声信号Ｒ（前方右音声信号）、中央音声信号Ｃ、低域左音声信号ＳＷＬ、低域右音声信号ＳＷＲ、サラウンド左音声信号ＳＬ、サラウンド右音声信号ＳＲ、サラウンド後方左音声信号ＳＢＬ、サラウンド後方右音声信号ＳＢＲ、左外側音声信号ＬＷ、右外側音声信号ＲＷ、左上側音声信号ＬＨ、右上側音声信号ＲＨ等が含まれる。
【００２７】
サラウンド後方左音声信号ＳＢＬは、ユーザの後方左側の位置から再生される音声信号である。サラウンド後方右音声信号ＳＢＲは、ユーザの後方右側の位置から再生される音声信号である。左外側音声信号ＬＷは、左音声信号Ｌの外側（左側）の位置（つまりユーザの前方左外側）から再生される音声信号である。右外側音声信号ＲＷは、右音声信号Ｒの外側（右）の位置（つまりユーザの前方右外側）から再生される音声信号である。左上側音声信号ＬＨは、左音声信号Ｌの上側の位置（つまりユーザの前方左上側）から再生される音声信号である。右上側音声信号ＲＨは、右音声信号Ｒの上側の位置（つまりユーザの前方右上側）から再生される音声信号である。
【００２８】
図４は、音声処理部５の要部を示すブロック図である。音声処理部５は、ＤＡＣ（デジタルアナログ変換器）１１（１１ａ〜１１ｈ）、ＬＰＦ（低域通過フィルタ）１２（１２ａ〜１２ｎ）、差動回路１３（１３ａ〜１３ｆ）、スイッチＳ１〜Ｓ１５、音量調整部１４（アンプ回路も含む）、及び、スピーカー端子１５（１５ａ〜１５ｏ）を有する。なお、ＤＡＣ１１の前段に設けられるＤＳＰ（デジタルシグナルプロセッサ）等については記載を省略している。
【００２９】
図示しないＤＳＰは、ＨＤＭＩ受信部３から供給されるマルチチャンネル音声データをデコードし、各チャンネルの音声データを生成する。生成された各チャンネルの音声データはＤＡＣ１１ａ〜１１ｆ、及び、スイッチＳ１の入力側に供給される。
【００３０】
詳細には、左音声信号Ｌ及び左上側音声信号ＬＨの組合せＬ／ＬＨが、ＤＳＰからＤＡＣ１１ａに供給される。右音声信号Ｒ及び右上側音声信号ＲＨの組合せＲ／ＲＨが、ＤＳＰからＤＡＣ１１ｂに供給される。中央音声信号Ｃが、ＤＳＰからＤＡＣ１１ｃに供給される。サラウンド左音声信号ＳＬ及びサラウンド後方左音声信号ＳＢＬの組合せＳＬ／ＳＢＬが、ＤＳＰからＤＡＣ１１ｄに供給される。サラウンド右音声信号ＳＲ及びサラウンド後方右音声信号ＳＢＲの組合せＳＲ／ＳＢＲが、ＤＳＰからＤＡＣ１１ｅに供給される。低域左音声信号ＳＷＬ及び低域右音声信号ＳＷＲの組合せＳＷＬ／ＳＷＲが、ＤＳＰからＤＡＣ１１ｆに供給される。左外側音声信号ＬＷ及び右外側音声信号ＲＷの組合せＬＷ／ＲＷが、ＤＳＰからスイッチＳ１の入力側の一端（図示下側の端子）に供給される。また、サブルーム左音声信号ＺＬ及びサブルーム右音声信号ＺＲの組合せＺＬ／ＺＲが、ＨＤＭＩ受信部３からスイッチＳ１の入力側の他端（図示上側の端子）に供給される。
【００３１】
ＤＡＣ１１は、制御部２から供給される各クロック信号に基づいて、供給される各チャンネルの音声信号（デジタル音声信号）をデジタル−アナログ変換し、各チャンネルのアナログ音声信号を、ＬＰＦ１２に供給する。
【００３２】
詳細には、ＤＡＣ１１ａは、左音声信号Ｌ及び左上側音声信号ＬＨの組合せＬ／ＬＨが供給され、アナログの左音声信号ＬをＬＰＦ１２ａに供給し、アナログの左上側音声信号ＬＨをＬＰＦ１２ｂに供給する（あるいは、差動出力を実行する場合においては、アナログの左音声信号ＬをＬＰＦ１２ａに供給し、アナログの左音声信号Ｌの反転信号Ｌ−をＬＰＦ１２ｂに供給する）。
【００３３】
ＤＡＣ１１ｂは、右音声信号Ｒ及び右上側音声信号ＲＨの組合せＲ／ＲＨが供給され、アナログの右音声信号ＲをＬＰＦ１２ｃに供給し、アナログの右上側音声信号ＲＨをＬＰＦ１２ｄに供給する（あるいは、差動出力を実行する場合においては、アナログの右音声信号ＲをＬＰＦ１２ｃに供給し、アナログの右音声信号Ｒの反転信号Ｒ−をＬＰＦ１２ｄに供給する）。
【００３４】
ＤＡＣ１１ｃは、中央音声信号Ｃが供給され、アナログの中央音声信号ＣをＬＰＦ１２ｅに供給する（あるいは、差動出力を実行する場合においては、アナログの中央音声信号ＣをＬＰＦ１２ｅに供給し、アナログの中央音声信号Ｃの反転信号Ｃ−をＬＰＦ１２ｆに供給する）。
【００３５】
ＤＡＣ１１ｄは、サラウンド左音声信号ＳＬ及びサラウンド後方左音声信号ＳＢＬの組合せＳＬ／ＳＢＬが供給され、アナログのサラウンド左音声信号ＳＬをＬＰＦ１２ｇに供給し、アナログのサラウンド後方左側音声信号ＳＢＬをＬＰＦ１２ｈに供給する（あるいは、差動出力を実行する場合においては、アナログのサラウンド左音声信号ＳＬをＬＰＦ１２ｇに供給し、アナログのサラウンド左音声信号ＳＬの反転信号ＳＬ−をＬＰＦ１２ｈに供給する）。
【００３６】
ＤＡＣ１１ｅは、サラウンド右音声信号ＳＲ及びサラウンド後方右音声信号ＳＢＲの組合せＳＲ／ＳＢＲが供給され、アナログのサラウンド右音声信号ＳＲをＬＰＦ１２ｉに供給し、アナログのサラウンド後方右側音声信号ＳＢＲをＬＰＦ１２ｊに供給する（あるいは、差動出力を実行する場合においては、アナログのサラウンド右音声信号ＳＲをＬＰＦ１２ｉに供給し、アナログのサラウンド右音声信号ＳＲの反転信号ＳＲ−をＬＰＦ１２ｊに供給する）。
【００３７】
ＤＡＣ１１ｆは、低域左音声信号ＳＷＬ及び低域右音声信号ＳＷＲの組合せＳＷＬ／ＳＷＲが供給され、アナログの低域左音声信号ＳＷＬをＬＰＦ１２ｋに供給し、アナログの低域右音声信号ＳＷＲをＬＰＦ１２ｌに供給する（あるいは、差動出力を実行する場合においては、アナログの低域左音声信号ＳＷＬをＬＰＦ１２ｋに供給し、アナログの低域左音声信号ＳＷＬの反転信号ＳＷＬ−をＬＰＦ１２ｌに供給する）。
【００３８】
スイッチＳ１は、制御部２からの指示に応じて制御され、左外側音声信号ＬＷ及び右外側音声信号ＲＷの組合せＬＷ／ＲＷをＤＡＣ１１ｈに供給するか、あるいは、サブルーム左音声信号ＺＬ及びサブルーム右音声信号ＺＲの組合せＺＬ／ＺＲをＤＡＣ１１ｈに供給するかを切換える。
【００３９】
ＤＡＣ１１ｈは、スイッチＳ１から左外側音声信号ＬＷ及び右外側音声信号ＲＷの組合せＬＷ／ＲＷが供給され、アナログの左外側音声信号ＬＷをＬＰＦ１２ｍに供給し、アナログの右外側音声信号ＲＷをＬＰＦ１２ｎに供給する。あるいは、ＤＡＣ１１ｈは、サブルーム用スピーカーに音声信号を出力する場合において、スイッチＳ１からサブルーム左音声信号ＺＬ及びサブルーム右音声信号ＺＲの組合せＺＬ／ＺＲが供給され、アナログのサブルーム左音声信号ＺＬをＬＰＦ１２ｍに供給し、アナログのサブルーム右音声信号ＺＲをＬＰＦ１２ｎに供給する。
【００４０】
ＬＰＦ１２は、供給される各チャンネルの音声信号から高周波成分（高周波ノイズ）を除去し、差動回路１３、スイッチ、音量調整部１４等に供給する。
【００４１】
詳細には、ＬＰＦ１２ａは、左音声信号Ｌを、スイッチＳ４、及び、差動回路１３ａの正側入力端子に供給する。ＬＰＦ１２ｂは、左上側音声信号ＬＨを、音量調整部１４、及び、差動回路１３ａの負側入力端子に供給する（あるいは、差動出力を実行する場合においては、  ＬＰＦ１２ｂは、左音声信号Ｌの反転信号Ｌ−を差動回路１３ａの負側入力端子に供給する）。
【００４２】
ＬＰＦ１２ｃは、右音声信号Ｒを、スイッチＳ６、及び、差動回路１３ｂの正側入力端子に供給する。ＬＰＦ１２ｄは、右上側音声信号ＲＨを、音量調整部１４、及び、差動回路１３ｂの負側入力端子に供給する（あるいは、差動出力を実行する場合においては、ＬＰＦ１２ｄは、右音声信号Ｒの反転信号Ｒ−を差動回路１３ｂの負側入力端子に供給する）。
【００４３】
ＬＰＦ１２ｅは、中央音声信号Ｃを、スイッチＳ８、及び、差動回路１３ｃの正側入力端子に供給する。差動出力を実行する場合において、ＬＰＦ１２ｆは、中央音声信号Ｃの反転信号Ｃ−を差動回路１３ｃの負側入力端子に供給する）。
【００４４】
ＬＰＦ１２ｇは、サラウンド左音声信号ＳＬを、スイッチＳ１０、及び、差動回路１３ｄの正側入力端子に供給する。ＬＰＦ１２ｈは、サラウンド後方左音声信号ＳＢＬを、音量調整部１４、及び、差動回路１３ｄの負側入力端子に供給する（あるいは、差動出力を実行する場合においては、ＬＰＦ１２ｈは、サラウンド左音声信号ＳＬの反転信号ＳＬ−を差動回路１３ｄの負側入力端子に供給する）。
【００４５】
ＬＰＦ１２ｉは、サラウンド右音声信号ＳＲを、スイッチＳ１２、及び、差動回路１３ｅの正側入力端子に供給する。ＬＰＦ１２ｊは、サラウンド後方右音声信号ＳＢＲを、音量調整部１４、及び、差動回路１３ｅの負側入力端子に供給する（あるいは、差動出力を実行する場合においては、ＬＰＦ１２ｊは、サラウンド右音声信号ＳＲの反転信号ＳＲ−を差動回路１３ｅの負側入力端子に供給する）。
【００４６】
ＬＰＦ１２ｋは、低域左音声信号ＳＷＬを、スイッチＳ１４、及び、差動回路１３ｆの正側入力端子に供給する。ＬＰＦ１２ｌは、低域右音声信号ＳＷＲを、音量調整部１４、及び、差動回路１３ｆの負側入力端子に供給する（あるいは、差動出力を実行する場合においては、ＬＰＦ１２ｌは、低域左音声信号ＳＷＬの反転信号ＳＷＬ−を差動回路１３ｆの負側入力端子に供給する）。
【００４７】
ＬＰＦ１２ｍは、左外側音声信号ＬＷを、音量調整部１４、及び、スイッチＳ２に供給する。あるいは、サブルーム用スピーカーに音声信号を出力する場合において、ＬＰＦ１２ｍは、サブルーム左音声信号ＺＬを音量調整部１４、及び、スイッチＳ２に供給する。ＬＰＦ１２ｎは、右外側音声信号ＲＷを、音量調整部１４、及び、スイッチＳ３に供給する。あるいは、サブルーム用スピーカーに音声信号を出力する場合において、ＬＰＦ１２ｎは、サブルーム右音声信号ＺＲを音量調整部１４、及び、スイッチＳ３に供給する。
【００４８】
差動回路１３は、差動出力を実行する場合において、各チャンネルの音声信号が正側入力端子に供給され、各チャンネルの音声信号の反転信号が負側入力端子に供給されることにより、各チャンネルの音声信号の振幅値を倍増させて、スイッチに供給する。
【００４９】
詳細には、差動回路１３ａは、差動出力を実行する場合において、左音声信号Ｌが正側入力端子に供給され、左音声信号Ｌの反転信号Ｌ−が負側入力端子に供給されることにより、左音声信号Ｌの振幅を倍増させてスイッチＳ５に供給する。
【００５０】
差動回路１３ｂは、差動出力を実行する場合において、右音声信号Ｒが正側入力端子に供給され、右音声信号Ｒの反転信号Ｒ−が負側入力端子に供給されることにより、右音声信号Ｒの振幅を倍増させてスイッチＳ７に供給する。
【００５１】
差動回路１３ｃは、差動出力を実行する場合において、中央音声信号Ｃが正側入力端子に供給され、中央音声信号Ｃの反転信号Ｃ−が負側入力端子に供給されることにより、中央音声信号Ｃの振幅を倍増させてスイッチＳ９に供給する。
【００５２】
差動回路１３ｄは、差動出力を実行する場合において、サラウンド左音声信号ＳＬが正側入力端子に供給され、サラウンド左音声信号ＳＬの反転信号ＳＬ−が負側入力端子に供給されることにより、サラウンド左音声信号ＳＬの振幅を倍増させてスイッチＳ１１に供給する。
【００５３】
差動回路１３ｅは、差動出力を実行する場合において、サラウンド右音声信号ＳＲが正側入力端子に供給され、サラウンド右音声信号ＳＲの反転信号ＳＲ−が負側入力端子に供給されることにより、サラウンド右音声信号ＳＲの振幅を倍増させてスイッチＳ１３に供給する。
【００５４】
差動回路１３ｆは、差動出力を実行する場合において、低域左音声信号ＳＷＬが正側入力端子に供給され、低域左音声信号ＳＷＬの反転信号ＳＷＬ−が負側入力端子に供給されることにより、低域左音声信号ＳＷＬの振幅を倍増させてスイッチＳ１５に供給する。
【００５５】
スイッチＳ２〜Ｓ１５は、制御部２からの指示に基づいてオンオフ制御される。スイッチＳ２は、ＬＰＦ１２ｍからの音声信号を、音量調整部１４を介してサブルーム左スピーカー端子１５ｎに供給するか否かを切換える。つまり、サブルーム用スピーカーに音声信号を供給する場合（すなわち、左外側音声信号ＬＷを左外側スピーカー端子１５ｌに供給しない場合）に、スイッチＳ２がオン状態に制御され、サブルーム用スピーカーに音声信号を供給しない場合に、スイッチＳ２がオフ状態に制御される。
【００５６】
スイッチＳ３は、ＬＰＦ１２ｎからの音声信号を、音量調整部１４を介してサブルーム右スピーカー端子１５ｏに供給するか否かを切換える。つまり、サブルーム用スピーカーに音声信号を供給する場合（すなわち、右外側音声信号ＲＷを右外側スピーカー端子１５ｍに供給しない場合）に、スイッチＳ３がオン状態に制御され、サブルーム用スピーカーに音声信号を供給しない場合に、スイッチＳ３がオフ状態に制御される。
【００５７】
スイッチＳ４は、ＬＰＦ１２ａからの左音声信号Ｌを、音量調整部１４を介して左スピーカー端子１５ａに供給するか否かを切換える。スイッチＳ５は、差動回路１３ａからの左音声信号Ｌを、音量調整部１４を介して左スピーカー端子１５ａに供給するか否かを切換える。
【００５８】
スイッチＳ６は、ＬＰＦ１２ｃからの右音声信号Ｒを、音量調整部１４を介して右スピーカー端子１５ｃに供給するか否かを切換える。スイッチＳ７は、差動回路１３ｂからの右音声信号Ｒを、音量調整部１４を介して右スピーカー端子１５ｃに供給するか否かを切換える。
【００５９】
スイッチＳ８は、ＬＰＦ１２ｅからの中央音声信号Ｃを、音量調整部１４を介して中央スピーカー端子１５ｅに供給するか否かを切換える。スイッチＳ９は、差動回路１３ｃからの中央音声信号Ｃを、音量調整部１４を介して中央スピーカー端子１５ｅに供給するか否かを切換える。
【００６０】
スイッチＳ１０は、ＬＰＦ１２ｇからのサラウンド左音声信号ＳＬを、音量調整部１４を介してサラウンド左スピーカー端子１５ｆに供給するか否かを切換える。スイッチＳ１１は、差動回路１３ｄからのサラウンド左音声信号ＳＬを、音量調整部１４を介してサラウンド左スピーカー端子１５ｆに供給するか否かを切換える。
【００６１】
スイッチＳ１２は、ＬＰＦ１２ｉからのサラウンド右音声信号ＳＲを、音量調整部１４を介してサラウンド右スピーカー端子１５ｈに供給するか否かを切換える。スイッチＳ１３は、差動回路１３ｅからのサラウンド右音声信号ＳＲを、音量調整部１４を介してサラウンド右スピーカー端子１５ｈに供給するか否かを切換える。
【００６２】
スイッチＳ１４は、ＬＰＦ１２ｋからの低域左音声信号ＳＷＬを、音量調整部１４を介して低域左スピーカー端子１５ｊに供給するか否かを切換える。スイッチＳ１５は、差動回路１３ｆからの低域左音声信号ＳＷＬを、音量調整部１４を介して低域左スピーカー端子１５ｊに供給するか否かを切換える。
【００６３】
音量調整部１４は、供給される各チャンネルの音声信号の音量を調整し（かつ必要に応じてアンプ回路が増幅処理を実行し）、各チャンネルのスピーカー端子１５に供給する。詳細には、音量調整部１４は、スイッチＳ４又はＳ５からの左音声信号Ｌの音量を調整し、左スピーカー端子１５ａに供給する。音量調整部１４は、ＬＰＦ１２ｂからの左上側音声信号ＬＨの音量を調整し、左上側スピーカー端子１５ｂに供給する。
【００６４】
音量調整部１４は、スイッチＳ６又はＳ７からの右音声信号Ｒの音量を調整し、右スピーカー端子１５ｃに供給する。音量調整部１４は、ＬＰＦ１２ｄからの右上側音声信号ＲＨの音量を調整し、右上側スピーカー端子１５ｄに供給する。音量調整部１４は、スイッチＳ８又はＳ９からの中央音声信号Ｃの音量を調整し、中央スピーカー端子１５ｅに供給する。音量調整部１４は、スイッチＳ１０又はＳ１１からのサラウンド左音声信号ＳＬの音量を調整し、サラウンド左スピーカー端子１５ｆに供給する。音量調整部１４は、ＬＰＦ１２ｈからのサラウンド後方左音声信号ＳＢＬの音量を調整し、サラウンド後方左スピーカー端子１５ｇに供給する。
【００６５】
音量調整部１４は、スイッチＳ１２又はＳ１３からのサラウンド右音声信号ＳＲの音量を調整し、サラウンド右スピーカー端子１５ｈに供給する。音量調整部１４は、ＬＰＦ１２ｊからのサラウンド後方右音声信号ＳＢＲの音量を調整し、サラウンド後方右スピーカー端子１５ｉに供給する。音量調整部１４は、スイッチＳ１４又はＳ１５からの低域左音声信号ＳＷＬの音量を調整し、低域左スピーカー端子１５ｊに供給する。音量調整部１４は、ＬＰＦ１２ｌからの低域右音声信号ＳＷＲの音量を調整し、低域右スピーカー端子１５ｋに供給する。
【００６６】
音量調整部１４は、ＬＰＦ１２ｍからの左外側音声信号ＬＷの音量を調整し、左外側スピーカー端子１５ｌに供給する。また、音量調整部１４は、サブルーム用スピーカーに音声信号を供給する（すなわち、左外側音声信号ＬＷを出力しない）場合において、ＬＰＦ１２ｍからの音声信号をミュート状態として、左外側スピーカー端子１５ｌに供給しないようにする。すなわち、音量調整部１４は、左外側音声信号ＬＷに対してスイッチとしての機能を兼有する。音量調整部１４は、ＬＰＦ１２ｎからの右外側音声信号ＲＷの音量を調整し、右外側スピーカー端子１５ｍに供給する。
【００６７】
また、音量調整部１４は、サブルーム用スピーカーに音声信号を供給する（すなわち、右外側音声信号ＲＷを出力しない）場合において、ＬＰＦ１２ｎからの音声信号をミュート状態として、右外側スピーカー端子１５ｍに供給しないようにする。すなわち、音量調整部１４は、右外側音声信号ＲＷに対してスイッチとしての機能を兼有する。音量調整部１４は、スイッチＳ２からのサブルーム左音声信号ＺＬの音量を調整し、サブルーム左スピーカー端子１５ｎに供給する。音量調整部１４は、スイッチＳ３からのサブルーム右音声信号ＺＲの音量を調整し、サブルーム右スピーカー端子１５ｏに供給する。
【００６８】
左スピーカー端子１５ａには左スピーカーＳＬが接続可能である。左上側スピーカー端子１５ｂには左上側スピーカーＳＬＨが接続可能である。右スピーカー端子１５ｃには右スピーカーＳＲが接続可能である。右上側スピーカー端子１５ｄには右上側スピーカーＳＲＨが接続可能である。中央スピーカー端子１５ｅには中央スピーカーＳＣが接続可能である。
【００６９】
サラウンド左スピーカー端子１５ｆにはサラウンド左スピーカーＳＳＬが接続可能である。サラウンド後方左スピーカー端子１５ｇにはサラウンド後方左スピーカーＳＳＢＬが接続可能である。サラウンド右スピーカー端子１５ｈにはサラウンド右スピーカーＳＳＲが接続可能である。サラウンド後方右スピーカー端子１５ｉにはサラウンド後方右スピーカーＳＳＢＲが接続可能である。低域左スピーカー端子１５ｊには低域左スピーカーＳＳＷＬが接続可能である。低域右スピーカー端子１５ｋには低域右スピーカーＳＳＷＲが接続可能である。
【００７０】
左外側スピーカー端子１５ｌには左外側スピーカーＳＬＷが接続可能である。右外側スピーカー端子１５ｍには右外側スピーカーＳＲＷが接続可能である。サブルーム左スピーカー端子１５ｎにはサブルーム左スピーカーＳＺＬが接続可能である。サブルーム右スピーカー端子１５ｏにはサブルーム右スピーカーＳＺＲが接続可能である。サブルーム左スピーカー端子１５ｎはプリアウト端子でもよく、この場合スイッチＳ２に直接（つまり、音量調整部１４を介さずに）接続されると共に、サブルーム左スピーカーＳＺＬには音量調整部（及びアンプ回路）を有したものが使用される。サブルーム右スピーカー端子１５ｏはプリアウト端子でもよく、この場合スイッチＳ３に直接（つまり、音量調整部１４を介さずに）接続されると共に、サブルーム右スピーカーＳＺＲには音量調整部（及びアンプ回路）を有したものが使用される。
【００７１】
次に、本実施形態の音声処理部５の動作を説明する。
［（１）サブルーム用スピーカーに音声信号を供給する場合］
制御部２は、スイッチＳ１にサブルーム左音声信号ＺＬ及びサブルーム右音声信号ＺＲの組合せＺＬ／ＺＲをＤＡＣ１１ｈに供給させ（つまり、スイッチＳ１を上側に切換え）、スイッチＳ２、Ｓ３をオン状態に制御し、音量調整部１４に、左外側スピーカー端子１５ｌ及び右外側スピーカー端子１５ｍへの音声信号の供給を停止させる。従って、ＤＡＣ１１ｈは、入力される音声信号をデジタルアナログ変換し、サブルーム左音声信号ＺＬをＬＰＦ１２ｍに供給し、サブルーム右音声信号ＺＲをＬＰＦ１２ｎに供給する。サブルーム左音声信号ＺＬは、ＬＰＦ１２ｍで高周波成分が除去されて、スイッチＳ２を介して音量調整部１４に供給される。サブルーム右音声信号ＺＲは、ＬＰＦ１２ｎで高周波成分が除去されて、スイッチＳ３を介して音量調整部１４に供給される。音量調整部１４は、サブルーム左音声信号ＺＬを音量調整し、サブルーム左スピーカー端子１５ｎを介してサブルーム左スピーカーＳＺＬに供給する。また、音量調整部１４は、サブルーム右音声信号ＺＲを音量調整し、サブルーム右スピーカー端子１５ｏを介してサブルーム右スピーカーＳＺＲに供給する。音量調整部１４は、サブルーム左音声信号ＺＬを左外側スピーカー端子１５ｌに供給しないようにミュート状態とし、サブルーム右音声信号ＺＲを右外側スピーカー端子１５ｍに供給しないようにミュート状態とする。なお、このときに、他のチャンネルのスピーカー端子からは、後述するように、各チャンネルの音声信号がそれぞれ出力されてもよく、基本の５．１チャンネルの音声信号が差動出力されて出力されても良い。
【００７２】
［（２）左外側スピーカー及び右外側スピーカーに音声信号を供給する場合］
制御部２は、スイッチＳ１に左外側音声信号ＬＷ及び右外側音声信号ＲＷの組合せＬＷ／ＲＷをＤＡＣ１１ｈに供給させ（つまり、スイッチＳ１を下側に切換え）、スイッチＳ２、Ｓ３をオフ状態に制御する。従って、ＤＡＣ１１ｈは、入力される音声信号をデジタルアナログ変換し、左外側音声信号ＬＷをＬＰＦ１２ｍに供給し、右外側音声信号ＲＷをＬＰＦ１２ｎに供給する。左外側音声信号ＬＷは、ＬＰＦ１２ｍで高周波成分が除去されて、音量調整部１４に供給される。右外側音声信号ＲＷは、ＬＰＦ１２ｎで高周波成分が除去されて、音量調整部１４に供給される。音量調整部１４は、左外側音声信号ＬＷを音量調整し、左外側スピーカー端子１５ｌを介して左外側スピーカーＳＬＷに供給する。また、音量調整部１４は、右外側音声信号ＲＷを音量調整し、右外側スピーカー端子１５ｍを介して右外側スピーカーＳＲＷに供給する。
【００７３】
［（３）各チャンネルのスピーカーに音声信号を供給する場合］
上記（１）（２）のいずれの場合においても、本動作を実行することが可能である。制御部２は、スイッチＳ４、Ｓ６、Ｓ８、Ｓ１０、Ｓ１２、Ｓ１４をオン状態に制御し、スイッチＳ５、Ｓ７、Ｓ９、Ｓ１１、Ｓ１３、Ｓ１５をオフ状態に制御する。ＤＡＣ１１ａは、入力される左音声信号Ｌ及び左上側音声信号ＬＨの組合せＬ／ＬＨをデジタルアナログ変換し、左音声信号ＬをＬＰＦ１２ａに供給し、左上側音声信号ＬＨをＬＰＦ１２ｂに供給する。左音声信号Ｌは、ＬＰＦ１２ａで高周波成分が除去されて、スイッチＳ４を介して音量調整部１４に供給される。左上側音声信号ＬＨは、ＬＰＦ１２ｂで高周波成分が除去されて、音量調整部１４に供給される。音量調整部１４は、左音声信号Ｌを音量調整し、左スピーカー端子１５ａを介して左スピーカーＳＬに供給する。また、音量調整部１４は、左上側音声信号ＬＨを音量調整し、左上側スピーカー端子１５ｂを介して左上側スピーカーＳＬＨに供給する。
【００７４】
ＤＡＣ１１ｂは、入力される右音声信号Ｒ及び右上側音声信号ＲＨの組合せＲ／ＲＨをデジタルアナログ変換し、右音声信号ＲをＬＰＦ１２ｃに供給し、右上側音声信号ＲＨをＬＰＦ１２ｄに供給する。右音声信号Ｒは、ＬＰＦ１２ｃで高周波成分が除去されて、スイッチＳ６を介して音量調整部１４に供給される。右上側音声信号ＲＨは、ＬＰＦ１２ｄで高周波成分が除去されて、音量調整部１４に供給される。音量調整部１４は、右音声信号Ｒを音量調整し、右スピーカー端子１５ｃを介して右スピーカーＳＲに供給する。また、音量調整部１４は、右上側音声信号ＲＨを音量調整し、右上側スピーカー端子１５ｄを介して右上側スピーカーＳＲＨに供給する。
【００７５】
ＤＡＣ１１ｃは、入力される中央音声信号Ｃをデジタルアナログ変換し、ＬＰＦ１２ｅに供給する。中央音声信号Ｃは、ＬＰＦ１２ｅで高周波成分が除去されて、スイッチＳ８を介して音量調整部１４に供給される。音量調整部１４は、中央音声信号Ｃを音量調整し、中央スピーカー端子１５ｅを介して中央スピーカーＳＣに供給する。
【００７６】
ＤＡＣ１１ｄは、入力されるサラウンド左音声信号ＳＬ及びサラウンド後方左音声信号ＳＢＬの組合せＳＬ／ＳＢＬをデジタルアナログ変換し、サラウンド左音声信号ＳＬをＬＰＦ１２ｇに供給し、サラウンド後方左音声信号ＳＢＬをＬＰＦ１２ｈに供給する。サラウンド左音声信号ＳＬは、ＬＰＦ１２ｇで高周波成分が除去されて、スイッチＳ１０を介して音量調整部１４に供給される。サラウンド後方左音声信号ＳＢＬは、ＬＰＦ１２ｈで高周波成分が除去されて、音量調整部１４に供給される。音量調整部１４は、サラウンド左音声信号ＳＬを音量調整し、サラウンド左スピーカー端子１５ｆを介してサラウンド左スピーカーＳＳＬに供給する。また、音量調整部１４は、サラウンド後方左音声信号ＳＢＬを音量調整し、サラウンド後方左スピーカー端子１５ｇを介してサラウンド後方左スピーカーＳＳＢＬに供給する。
【００７７】
ＤＡＣ１１ｅは、入力されるサラウンド右音声信号ＳＲ及びサラウンド後方右音声信号ＳＢＲの組合せＳＲ／ＳＢＲをデジタルアナログ変換し、サラウンド右音声信号ＳＲをＬＰＦ１２ｉに供給し、サラウンド後方右音声信号ＳＢＲをＬＰＦ１２ｊに供給する。サラウンド右音声信号ＳＲは、ＬＰＦ１２ｉで高周波成分が除去されて、スイッチＳ１２を介して音量調整部１４に供給される。サラウンド後方右音声信号ＳＢＲは、ＬＰＦ１２ｊで高周波成分が除去されて、音量調整部１４に供給される。音量調整部１４は、サラウンド右音声信号ＳＲを音量調整し、サラウンド右スピーカー端子１５ｈを介してサラウンド右スピーカーＳＳＲに供給する。また、音量調整部１４は、サラウンド後方右音声信号ＳＢＲを音量調整し、サラウンド後方右スピーカー端子１５ｉを介してサラウンド後方右スピーカーＳＳＢＲに供給する。
【００７８】
ＤＡＣ１１ｆは、入力される低域左音声信号ＳＷＬ及び低域右音声信号ＳＷＲの組合せＳＷＬ／ＳＷＲをデジタルアナログ変換し、低域左音声信号ＳＷＬをＬＰＦ１２ｋに供給し、低域右音声信号ＳＷＲをＬＰＦ１２ｌに供給する。低域左音声信号ＳＷＬは、ＬＰＦ１２ｋで高周波成分が除去されて、スイッチＳ１４を介して音量調整部１４に供給される。低域右音声信号ＳＷＲは、ＬＰＦ１２ｌで高周波成分が除去されて、音量調整部１４に供給される。音量調整部１４は、低域左音声信号ＳＷＬを音量調整し、低域左スピーカー端子１５ｊを介して低域左スピーカーＳＳＷＬに供給する。また、音量調整部１４は、低域右音声信号ＳＷＲを音量調整し、低域右スピーカー端子１５ｋを介して低域右スピーカーＳＳＷＲに供給する。
【００７９】
［（４）差動出力を実行する場合］
上記（１）（２）のいずれの場合においても、上記（３）の代わりに、本動作を実行することが可能である。制御部２は、スイッチＳ５、Ｓ７、Ｓ９、Ｓ１１、Ｓ１３、Ｓ１５をオン状態に制御し、スイッチＳ４、Ｓ６、Ｓ８、Ｓ１０、Ｓ１２、Ｓ１４をオフ状態に制御し、音量調整部１４に左上側スピーカー端子１５ｂ、右上側スピーカー端子１５ｄ、サラウンド後方左スピーカー端子１５ｇ、サラウンド後方右スピーカー端子１５ｉ、及び、低域右スピーカー端子１５ｋへの出力をミュート状態に制御する。
【００８０】
ＤＡＣ１１ａは、入力される左音声信号Ｌ及び左上側音声信号ＬＨの組合せＬ／ＬＨをデジタルアナログ変換し、左音声信号ＬをＬＰＦ１２ａに供給し、左音声信号Ｌの反転信号Ｌ−をＬＰＦ１２ｂに供給する。左音声信号Ｌは、ＬＰＦ１２ａで高周波成分が除去されて、差動回路１３ａの正側入力端子に供給される。左音声信号Ｌの反転信号Ｌ−は、ＬＰＦ１２ｂで高周波成分が除去されて、差動回路１３ａの負側入力端子に供給される。差動回路１３ａは、左音声信号Ｌの振幅値を倍増させて、スイッチＳ５を介して音量調整部１４に供給する。音量調整部１４は、左音声信号Ｌを音量調整し、左スピーカー端子１５ａを介して左スピーカーＳＬに供給する。なお、音量調整部１４は、左上側スピーカー端子１５ｂに出力する音声信号をミュート状態にするので、左上側スピーカー端子１５ｂからは音声信号が出力されない。
【００８１】
ＤＡＣ１１ｂは、入力される右音声信号Ｒ及び右上側音声信号ＲＨの組合せＲ／ＲＨをデジタルアナログ変換し、右音声信号ＲをＬＰＦ１２ｃに供給し、右音声信号Ｒの反転信号Ｒ−をＬＰＦ１２ｄに供給する。右音声信号Ｒは、ＬＰＦ１２ｃで高周波成分が除去されて、差動回路１３ｂの正側入力端子に供給される。右音声信号Ｒの反転信号Ｒ−は、ＬＰＦ１２ｄで高周波成分が除去されて、差動回路１３ｂの負側入力端子に供給される。差動回路１３ｂは、右音声信号Ｒの振幅値を倍増させて、スイッチＳ７を介して音量調整部１４に供給する。音量調整部１４は、右音声信号Ｒを音量調整し、右スピーカー端子１５ｃを介して右スピーカーＳＲに供給する。なお、音量調整部１４は、右上側スピーカー端子１５ｄに出力する音声信号をミュート状態にするので、右上側スピーカー端子１５ｄからは音声信号が出力されない。
【００８２】
ＤＡＣ１１ｃは、入力される中央音声信号Ｃをデジタルアナログ変換し、中央音声信号ＣをＬＰＦ１２ｅに供給し、中央音声信号Ｃの反転信号Ｃ−をＬＰＦ１２ｆに供給する。中央音声信号Ｃは、ＬＰＦ１２ｅで高周波成分が除去されて、差動回路１３ｃの正側入力端子に供給される。中央音声信号Ｃの反転信号Ｃ−は、ＬＰＦ１２ｆで高周波成分が除去されて、差動回路１３ｃの負側入力端子に供給される。差動回路１３ｃは、中央音声信号Ｃの振幅値を倍増させて、スイッチＳ９を介して音量調整部１４に供給する。音量調整部１４は、中央音声信号Ｃを音量調整し、中央スピーカー端子１５ｅを介して中央スピーカーＳＣに供給する。
【００８３】
ＤＡＣ１１ｄは、入力されるサラウンド左音声信号ＳＬ及びサラウンド後方左音声信号ＳＢＬの組合せＳＬ／ＳＢＬをデジタルアナログ変換し、サラウンド左音声信号ＳＬをＬＰＦ１２ｇに供給し、サラウンド左音声信号ＳＬの反転信号ＳＬ−をＬＰＦ１２ｈに供給する。サラウンド左音声信号ＳＬは、ＬＰＦ１２ｇで高周波成分が除去されて、差動回路１３ｄの正側入力端子に供給される。サラウンド左音声信号ＳＬの反転信号ＳＬ−は、ＬＰＦ１２ｈで高周波成分が除去されて、差動回路１３ｄの負側入力端子に供給される。差動回路１３ｄは、サラウンド左音声信号ＳＬの振幅値を倍増させて、スイッチＳ１１を介して音量調整部１４に供給する。音量調整部１４は、サラウンド左音声信号ＳＬを音量調整し、サラウンド左スピーカー端子１５ｆを介してサラウンド左スピーカーＳＳＬに供給する。なお、音量調整部１４は、サラウンド後方左スピーカー端子１５ｇに出力する音声信号をミュート状態にするので、サラウンド後方左スピーカー端子１５ｇからは音声信号が出力されない。
【００８４】
ＤＡＣ１１ｅは、入力されるサラウンド右音声信号ＳＲ及びサラウンド後方右音声信号ＳＢＲの組合せＳＲ／ＳＢＲをデジタルアナログ変換し、サラウンド右音声信号ＳＲをＬＰＦ１２ｉに供給し、サラウンド右音声信号ＳＲの反転信号ＳＲ−をＬＰＦ１２ｊに供給する。サラウンド右音声信号ＳＲは、ＬＰＦ１２ｉで高周波成分が除去されて、差動回路１３ｅの正側入力端子に供給される。サラウンド右音声信号ＳＲの反転信号ＳＲ−は、ＬＰＦ１２ｊで高周波成分が除去されて、差動回路１３ｅの負側入力端子に供給される。差動回路１３ｅは、サラウンド右音声信号ＳＲの振幅値を倍増させて、スイッチＳ１３を介して音量調整部１４に供給する。音量調整部１４は、サラウンド右音声信号ＳＲを音量調整し、サラウンド右スピーカー端子１５ｈを介してサラウンド右スピーカーＳＳＲに供給する。なお、音量調整部１４は、サラウンド後方右スピーカー端子１５ｉに出力する音声信号をミュート状態にするので、サラウンド後方右スピーカー端子１５ｉからは音声信号が出力されない。
【００８５】
ＤＡＣ１１ｆは、入力される低域左音声信号ＳＷＬ及び低域右音声信号ＳＷＲの組合せＳＷＬ／ＳＷＲをデジタルアナログ変換し、低域左音声信号ＳＷＬをＬＰＦ１２ｋに供給し、低域左音声信号ＳＷＬの反転信号ＳＷＬ−をＬＰＦ１２ｌに供給する。低域左音声信号ＳＷＬは、ＬＰＦ１２ｋで高周波成分が除去されて、差動回路１３ｆの正側入力端子に供給される。低域左音声信号ＳＷＬの反転信号ＳＷＬ−は、ＬＰＦ１２ｌで高周波成分が除去されて、差動回路１３ｆの負側入力端子に供給される。差動回路１３ｆは、低域左音声信号ＳＷＬの振幅値を倍増させて、スイッチＳ１５を介して音量調整部１４に供給する。音量調整部１４は、低域左音声信号ＳＷＬを音量調整し、低域左スピーカー端子１５ｊを介して低域左スピーカーＳＳＷＬに供給する。なお、音量調整部１４は、低域右スピーカー端子１５ｋに出力する音声信号をミュート状態にするので、低域右スピーカー端子１５ｋからは音声信号が出力されない。
【００８６】
以上に示すように、本実施形態によると、サブルーム左音声信号ＺＬ及びサブルーム右音声信号ＺＲの組合せＺＬ／ＺＲをデジタルアナログ変換するためのＤＡＣを、左外側音声信号ＬＷ及び右外側音声信号ＲＷの組合せＬＷ／ＲＷをデジタルアナログ変換するためのＤＡＣと兼用している。従って、サブルーム左音声信号ＺＬ及びサブルーム右音声信号ＺＲの組合せＺＬ／ＺＲをデジタルアナログ変換するための専用のＤＡＣを設ける必要がないので、ＤＡＣの数を削減することができる。なお、左外側音声信号ＬＷ及び右外側音声信号ＲＷの組合せＬＷ／ＲＷをデジタルアナログ変換するためのＤＡＣと兼用することによって、メインルームに配置されるメインルーム用スピーカーからは少なくとも基本の５．１チャンネルの音声信号（左音声信号Ｌ、右音声信号Ｒ、中央音声信号Ｃ、サラウンド左音声信号ＳＬ、サラウンド右音声信号ＳＲ、低域左音声信号ＳＷＬ）を再生しながら、サブルームに配置されるサブルーム用スピーカーからも音声信号を再生することができる。
【００８７】
なお、図５に示すように、左外側スピーカー端子１５ｌをサブルーム左スピーカー端子と兼用し、右外側スピーカー端子１５ｍをサブルーム右スピーカー端子と兼用してもよい。この場合、左外側スピーカー端子１５ｌには、左外側スピーカーＳＬＷ及びサブルーム左スピーカーＳＺＬのいずれか一方が接続可能である。同様に、右外側スピーカー端子１５ｍには、右外側スピーカーＳＲＷ及びサブルーム右スピーカーＳＺＲのいずれか一方が接続可能である。また、図５においては、図４と比較して、スイッチＳ２、Ｓ３、サブルーム左スピーカー端子１５ｎ、サブルーム右スピーカー端子１５ｏは削除されている。
【００８８】
また、図６に示すように、左外側音声信号ＬＷと左上側音声信号ＬＨとを入れ替えて、右外側音声信号ＲＷと右上側音声信号ＲＨとを入れ替えた構成を採用してもよい。この場合、サブルーム左音声信号ＺＬ及びサブルーム右音声信号ＺＲの組合せＺＬ／ＺＲをデジタルアナログ変換するためのＤＡＣを、左上側音声信号ＬＨ及び右上側音声信号ＲＨの組合せＬＨ／ＲＨをデジタルアナログ変換するためのＤＡＣと兼用することになる。
【００８９】
また、図７に示すように、マルチチャンネル音声データの規格によっては、左外側音声信号ＬＷに代えて（又は加えて）、左中央側音声信号ＬＣが存在し、右外側音声信号ＲＷに代えて（又は加えて）、右中央側音声信号ＲＣが存在する場合がある。左中央側音声信号ＬＣは、左音声信号Ｌと中央音声信号Ｃとの間の位置から再生される音声信号である。右中央側音声信号ＲＣは、右音声信号Ｒと中央音声信号Ｃとの間の位置から再生される音声信号である。この場合に、図８に示すように、左外側音声信号ＬＷを左中央側音声信号ＬＣに置き換え、右外側音声信号ＲＷを右中央側音声信号ＲＣに置き換えた構成が採用される。
【００９０】
これらを踏まえて上記実施形態におけるチャンネルを一般的に表現すると、図４において、左外側音声信号ＬＷを拡張左音声信号と定義し、右外側音声信号ＲＷを拡張右音声信号と定義する。そして、拡張左音声信号は、左外側音声信号ＬＷ、サラウンド後方左音声信号ＳＢＬ、左上側音声信号ＬＨおよび左中央側音声信号ＬＣのいずれかであればよい。同様に、拡張右音声信号は、右外側音声信号ＲＷ、サラウンド後方右音声信号ＳＢＲ、右上側音声信号ＲＨおよび右中央側音声信号ＲＣのいずれかであればよい。
【００９１】
また、スイッチＳ１を設けずに、ＤＳＰが、左外側音声信号ＬＷ及び右外側音声信号の組合せＬＷ／ＲＷ、又は、サブルーム左音声信号ＺＬ及びサブルーム右音声信号ＺＲの組合せＺＬ／ＺＲを選択的にＤＡＣ１１ｈに供給してもよい。これを踏まえて一般的に記載すると、入力切換手段とは、スイッチＳ１でもよく、ＤＳＰであってもよい。
【００９２】
次に、本発明の別の好ましい実施形態を説明する。図９、図１０は、本実施形態による音声処理部５Ｅの構成を示す図であり、図４と同一部分には同一符号を付し、説明を援用する。なお、図９は、サブブーム用スピーカーに音声信号を供給する場合を示し、図１０は、サラウンド後方左音声信号ＳＢＬ及びサラウンド後方右音声信号を再生する場合を示す。
【００９３】
音声処理部５Ｅは、ＤＡＣ（デジタルアナログ変換器）（１１ａ、１１ｂ、１１ｃ、２１ｄ、２１ｅ、１１ｆ）、ＬＰＦ（低域通過フィルタ）（１２ａ〜１２ｆ、２２ｇ〜２２ｊ、１２ｋ、１２ｌ）、差動回路（１３ａ〜１３ｃ、２３ｄ、２３ｅ、１３ｆ）、スイッチＳ２〜Ｓ９、Ｓ１４、Ｓ１５、Ｓ２１〜Ｓ２７、音量調整部１４（アンプ回路も含む）、及び、スピーカー端子１５（１５ａ〜１５ｏ）を有する。
【００９４】
図９に示すように、サブルーム用スピーカーに音声信号を供給する場合において、サラウンド左音声信号ＳＬ及びサラウンド右音声信号ＳＲの組合せＳＬ／ＳＲが、ＤＳＰからＤＡＣ２１ｄに供給される。あるいは、図１０に示すように、サラウンド後方左音声信号ＳＢＬ及びサラウンド後方右音声信号ＳＢＲを再生する場合において、サラウンド左音声信号ＳＬ及びサラウンド後方左音声信号ＳＢＬの組合せＳＬ／ＳＢＬが、ＤＳＰからＤＡＣ２１ｄに供給される。
【００９５】
図９に示すように、サブルーム用スピーカーに音声信号を供給する場合において、スイッチＳ２１の入力側の一端にはサブルーム左音声信号ＺＬ及びサブルーム右音声信号ＺＲの組合せＺＬ／ＺＲが供給され、スイッチＳ２１は、サブルーム左音声信号ＺＬ及びサブルーム右音声信号ＺＲの組合せＺＬ／ＺＲをＤＡＣ２１ｅに供給する。図１０に示すように、サラウンド後方左音声信号ＳＢＬ及びサラウンド後方右音声信号ＳＢＲを再生する場合において、スイッチＳ２１の入力側の他端にはサラウンド右音声信号ＳＲ及びサラウンド後方右音声信号ＳＢＲの組合せＳＲ／ＳＢＲが供給され、スイッチＳ２１は、サラウンド右音声信号ＳＲ及びサラウンド後方右音声信号ＳＢＲの組合せＳＲ／ＳＢＲをＤＡＣ２１ｅに供給する。
【００９６】
図９に示すように、サブルーム用スピーカーに音声信号を供給する場合において、ＤＡＣ２１ｄは、サラウンド左音声信号ＳＬ及びサラウンド右音声信号ＳＲの組合せＳＬ／ＳＲが供給され、アナログのサラウンド左音声信号ＳＬをＬＰＦ２２ｇに供給し、アナログのサラウンド右音声信号ＳＲをＬＰＦ２２ｈに供給する。図１０に示すように、サラウンド後方左音声信号ＳＢＬ及びサラウンド後方右音声信号ＳＢＲを再生する場合において、ＤＡＣ２１ｄは、サラウンド左音声信号ＳＬ及びサラウンド後方左音声信号ＳＢＬの組合せＳＬ／ＳＢＬが供給され、アナログのサラウンド左音声信号ＳＬをＬＰＦ２２ｇに供給し、アナログのサラウンド後方左音声信号ＳＢＬをＬＰＦ２２ｈに供給する。あるいは、図１０に示すように、サラウンド左音声信号ＳＬの差動出力を実行する場合においては、ＤＡＣ２１ｄは、サラウンド左音声信号ＳＬ及びサラウンド後方左音声信号ＳＢＬの組合せＳＬ／ＳＢＬが供給され、アナログのサラウンド左音声信号ＳＬをＬＰＦ２２ｇに供給し、アナログのサラウンド左音声信号ＳＬの反転信号ＳＬ−をＬＰＦ２２ｈに供給する。
【００９７】
図９に示すように、サブルーム用スピーカーに音声信号を供給する場合において、ＤＡＣ２１ｅは、サブルーム左音声信号ＺＬ及びサブルーム右音声信号ＺＲの組合せＺＬ／ＺＲが供給され、アナログのサブルーム左音声信号ＺＬをＬＰＦ２２ｉに供給し、アナログのサブルーム右音声信号ＺＲをＬＰＦ２２ｊに供給する。図１０に示すように、サラウンド後方左音声信号ＳＢＬ及びサラウンド後方右音声信号ＳＢＲを再生する場合において、ＤＡＣ２１ｅは、サラウンド右音声信号ＳＲ及びサラウンド後方右音声信号ＳＢＲの組合せＳＲ／ＳＢＲが供給され、アナログのサラウンド右音声信号ＳＲをＬＰＦ２２ｉに供給し、アナログのサラウンド後方右音声信号ＳＢＲをＬＰＦ２２ｊに供給する。あるいは、図１０に示すように、サラウンド右音声信号ＳＲの差動出力を実行する場合においては、ＤＡＣ２１ｅは、サラウンド右音声信号ＳＲ及びサラウンド後方右音声信号ＳＢＲの組合せＳＲ／ＳＢＲが供給され、アナログのサラウンド右音声信号ＳＲをＬＰＦ２２ｉに供給し、アナログのサラウンド右音声信号ＳＲの反転信号ＳＲ−をＬＰＦ２２ｊに供給する。
【００９８】
図９に示すように、サブルーム用スピーカーに音声信号を供給する場合において、ＬＰＦ２２ｇは、サラウンド左音声信号ＳＬを、スイッチＳ２２、及び、差動回路２３ｄの正側入力端子に供給する。図１０に示すように、サラウンド後方左音声信号ＳＢＬ及びサラウンド後方右音声信号ＳＢＲを再生する場合において、ＬＰＦ２２ｇは、サラウンド左音声信号ＳＬを、スイッチＳ２２、及び、差動回路２３ｄの正側入力端子に供給する。
【００９９】
図９に示すように、サブルーム用スピーカーに音声信号を供給する場合において、ＬＰＦ２２ｈは、サラウンド右音声信号ＳＲを、スイッチＳ２６、Ｓ２７、及び、差動回路２３ｄの負側入力端子に供給する。図１０に示すように、サラウンド後方左音声信号ＳＢＬ及びサラウンド後方右音声信号ＳＢＲを再生する場合において、ＬＰＦ２２ｈは、サラウンド後方左音声信号ＳＢＬを、スイッチＳ２６、Ｓ２７、及び、差動回路２３ｄの負側入力端子に供給する。あるいは、図１０に示すように、サラウンド左音声信号ＳＬの差動出力を実行する場合においては、ＬＰＦ２２ｈは、サラウンド左音声信号ＳＬの反転信号ＳＬ−を、スイッチＳ２６、Ｓ２７、及び、差動回路２３ｄの負側入力端子に供給する。
【０１００】
図９に示すように、サブルーム用スピーカーに音声信号を供給する場合において、ＬＰＦ２２ｉは、サブルーム左音声信号ＺＬを、スイッチＳ２４、及び、差動回路２３ｅの正側入力端子に供給する。図１０に示すように、サラウンド後方左音声信号ＳＢＬ及びサラウンド後方右音声信号ＳＢＲを再生する場合（あるいは、サラウンド右音声信号ＳＲの差動出力を実行する場合）において、ＬＰＦ２２ｉは、サラウンド右音声信号ＳＲを、スイッチＳ２４、及び、差動回路２３ｅの正側入力端子に供給する。
【０１０１】
図９に示すように、サブルーム用スピーカーに音声信号を供給する場合において、ＬＰＦ２２ｊは、サブルーム右音声信号ＺＲを、スイッチＳ３、及び、音声処理部１４に供給する。図１０に示すように、サラウンド後方左音声信号ＳＢＬ及びサラウンド後方右音声信号ＳＢＲを再生する場合において、ＬＰＦ２２ｊは、サラウンド後方右音声信号ＳＢＲを、スイッチＳ３、及び、音量調整部１４に供給する。あるいは、図１０に示すように、サラウンド右音声信号ＳＲの差動出力を実行する場合においては、ＬＰＦ２２ｊは、サラウンド右音声信号ＳＲの反転信号ＳＲ−を、差動回路２３ｅの負側入力端子に供給する。
【０１０２】
図１０に示すように、差動回路２３ｄは、差動出力を実行する場合において、サラウンド左音声信号ＳＬが正側入力端子に供給され、サラウンド左音声信号ＳＬの反転信号ＳＬ−が負側入力端子に供給されることにより、サラウンド左音声信号ＳＬの振幅を倍増させてスイッチＳ２３に供給する。差動回路２３ｅは、差動出力を実行する場合において、サラウンド右音声信号ＳＲが正側入力端子に供給され、サラウンド右音声信号ＳＲの反転信号ＳＲ−が負側入力端子に供給されることにより、サラウンド右音声信号ＳＲの振幅を倍増させてスイッチＳ２５に供給する。
【０１０３】
スイッチＳ２２は、ＬＰＦ２２ｇからの音声信号を、音量調整部１４を介してサラウンド左スピーカー端子１５ｆに供給するか否かを切換える。スイッチＳ２３は、差動回路２３ｄからの音声信号を、音量調整部１４を介してサラウンド左スピーカー端子１５ｆに供給するか否かを切換える。スイッチＳ２４は、ＬＰＦ２２ｉからの音声信号をスイッチＳ２４の入力側の一端に供給するか否かを切換える。スイッチＳ２５は、差動回路２３ｅからの音声信号をスイッチＳ２６の入力側の一端に供給するか否かを切換える。スイッチＳ２６は、ＬＰＦ２２ｈからの音声信号、及び、スイッチＳ２４、Ｓ２５からの音声信号のいずれを、音量調整部１４を介してサラウンド右スピーカー端子１５ｈに供給するかを切換える。スイッチＳ２７は、スイッチＳ２４からの音声信号、及び、ＬＰＦ２２ｈからの音声信号のいずれを、音量調整部１４を介してサラウンド後方左スピーカー端子及びスイッチＳ２に供給するかを切換える。
【０１０４】
次に、本実施形態の音声処理部５Ｅの動作を説明する。
［（１）サブルーム用スピーカーに音声信号を供給する場合］
ここでは、図９を参照して説明する。制御部２は、ＤＳＰにサブルーム左音声信号ＺＬ及びサブルーム右音声信号の組合せＺＬ／ＺＲをスイッチｓ２１の一端（上側）に供給させる。制御部２は、スイッチＳ２１にサブルーム左音声信号ＺＬ及びサブルーム右音声信号の組合せＺＬ／ＺＲをＤＡＣ２１ｅに供給させ（つまり、スイッチＳ２１を上側に切換え）、スイッチＳ２、Ｓ３、Ｓ２２、Ｓ２４をオン状態に、スイッチＳ２３、Ｓ２５をオフ状態に制御し、スイッチＳ２６を下側（ＬＰＦ２２ｈ側）に、スイッチＳ２７を上側（スイッチＳ２４側）に切換え、音量調整部１４に、サラウンド後方左スピーカー端子１５ｇ及びサラウンド後方右スピーカー端子１５ｉへの音声信号の供給を停止させる。
【０１０５】
ＤＡＣ２１ｅは、入力されるサブルーム左音声信号ＺＬ及びサブルーム右音声信号ＺＲの組合せＺＬ／ＺＲをデジタルアナログ変換し、サブルーム左音声信号ＺＬをＬＰＦ２２ｉに供給し、サブルーム右音声信号ＺＲをＬＰＦ２２ｊに供給する。サブルーム左音声信号ＺＬは、ＬＰＦ２２ｉで高周波成分が除去されて、スイッチＳ２４、Ｓ２７、Ｓ２を介して音量調整部１４に供給される。サブルーム右音声信号ＺＲは、ＬＰＦ２２ｊで高周波成分が除去されて、スイッチＳ３を介して音量調整部１４に供給される。音量調整部１４は、サブルーム左音声信号ＺＬを音量調整し、サブルーム左スピーカー端子１５ｎを介してサブルーム左スピーカーＳＺＬに供給する。また、音量調整部１４は、サブルーム右音声信号ＺＲを音量調整し、サブルーム右スピーカー端子１５ｏを介してサブルーム右スピーカーＳＺＲに供給する。音量調整部１４は、サブルーム左音声信号ＺＬをサラウンド後方左スピーカー端子１５ｇに供給しないようにミュート状態とし、サブルーム右音声信号ＺＲをサラウンド後方右スピーカー端子１５ｉに供給しないようにミュート状態とする。
【０１０６】
ＤＡＣ２１ｄは、入力されるサラウンド左音声信号ＳＬ及びサラウンド右音声信号ＳＲの組合せＳＬ／ＳＲをデジタルアナログ変換し、サラウンド左音声信号ＳＬをＬＰＦ２２ｇに供給し、サラウンド右音声信号ＳＲをＬＰＦ２２ｈに供給する。サラウンド左音声信号ＳＬは、ＬＰＦ２２ｇで高周波成分が除去されて、スイッチＳ２２を介して音量調整部１４に供給される。サラウンド右音声信号ＳＲは、ＬＰＦ２２ｈで高周波成分が除去されて、スイッチＳ２６を介して音量調整部１４に供給される。音量調整部１４は、サラウンド左音声信号ＳＬを音量調整し、サラウンド左スピーカー端子１５ｆを介してサラウンド左スピーカーＳＳＬに供給する。また、音量調整部１４は、サラウンド右音声信号ＳＲを音量調整し、サラウンド右スピーカー端子１５ｈを介してサラウンド右スピーカーＳＳＲに供給する。
【０１０７】
なお、このときに、他のチャンネルのスピーカー端子からは、図４の実施形態と同様に、各チャンネルの音声信号がそれぞれ出力されてもよく、特定のチャンネルの音声信号が差動出力されても良い。
【０１０８】
［（２）サラウンド後方左音声信号ＳＢＬ及びサラウンド後方右音声信号ＳＢＲを再生する場合］
ここでは、図１０を参照して説明する。制御部２は、ＤＳＰに、サラウンド右音声信号ＳＲ及びサラウンド後方右音声信号ＳＢＲの組合せＳＲ／ＳＢＲをスイッチＳ２１の他端（下側）に供給させる。制御部２は、スイッチＳ２１にサラウンド右音声信号ＳＲ及びサラウンド後方右音声信号ＳＢＲの組合せＳＲ／ＳＢＲをＤＡＣ２１ｅに供給させ（つまり、スイッチＳ２１を下側に切換え）、スイッチＳ２２、Ｓ２４をオン状態に、スイッチＳ２、Ｓ３、Ｓ２３、Ｓ２５をオフ状態に制御し、スイッチＳ２６を上側（スイッチＳ２４側）に、スイッチＳ２７を下側（ＬＰＦ２２ｈ側）に切換える。
【０１０９】
ＤＡＣ２１ｄは、ＤＳＰから入力されるサラウンド左音声信号ＳＬ及びサラウンド後方左音声信号ＳＢＬの組合せＳＬ／ＳＢＬをデジタルアナログ変換し、サラウンド左音声信号ＳＬをＬＰＦ２２ｇに供給し、サラウンド後方左音声信号ＳＢＬをＬＰＦ２２ｈに供給する。サラウンド左音声信号ＳＬは、ＬＰＦ２２ｇで高周波成分が除去されて、スイッチＳ２２を介して音量調整部１４に供給される。サラウンド後方左音声信号ＳＢＬは、ＬＰＦ２２ｈで高周波成分が除去されて、スイッチＳ２７を介して音量調整部１４に供給される。音量調整部１４は、サラウンド左音声信号ＳＬを音量調整し、サラウンド左スピーカー端子１５ｆを介してサラウンド左スピーカーＳＳＬに供給する。また、音量調整部１４は、サラウンド後方左音声信号ＳＢＬを音量調整し、サラウンド後方左スピーカー端子１５ｇを介してサラウンド後方左スピーカーＳＳＢＬに供給する。
【０１１０】
ＤＡＣ２１ｅは、ＤＳＰから入力されるサラウンド右音声信号ＳＲ及びサラウンド後方右音声信号ＳＢＲの組合せＳＲ／ＳＢＲをデジタルアナログ変換し、サラウンド右音声信号ＳＲをＬＰＦ２２ｉに供給し、サラウンド後方右音声信号ＳＢＲをＬＰＦ２２ｊに供給する。サラウンド右音声信号ＳＲは、ＬＰＦ２２ｉで高周波成分が除去されて、スイッチＳ２４、Ｓ２６を介して音量調整部１４に供給される。サラウンド後方右音声信号ＳＢＲは、ＬＰＦ２２ｊで高周波成分が除去されて、音量調整部１４に供給される。音量調整部１４は、サラウンド右音声信号ＳＲを音量調整し、サラウンド右スピーカー端子１５ｈを介してサラウンド右スピーカーＳＳＲに供給する。また、音量調整部１４は、サラウンド後方右音声信号ＳＢＲを音量調整し、サラウンド後方右スピーカー端子１５ｉを介してサラウンド後方右スピーカーＳＳＢＲに供給する。
【０１１１】
なお、このときに、他のチャンネルのスピーカー端子からは、図４の実施形態と同様に、各チャンネルの音声信号がそれぞれ出力されてもよく、特定のチャンネルの音声信号が差動出力されても良い。
【０１１２】
［（３）差動出力を実行する場合］
ここでは、図１０を参照して説明する。制御部２は、ＤＳＰに、サラウンド右音声信号ＳＲ及びサラウンド後方右音声信号ＳＢＲの組合せＳＲ／ＳＢＲをスイッチＳ２１の他端（下側）に供給させる。制御部２は、スイッチＳ２１にサラウンド右音声信号ＳＲ及びサラウンド後方右音声信号ＳＢＲの組合せＳＲ／ＳＢＲをＤＡＣ２１ｅに供給させ（つまり、スイッチＳ２１を下側に切換え）、スイッチＳ２３、Ｓ２５をオン状態に、スイッチＳ２、Ｓ３、Ｓ２２、Ｓ２４をオフ状態に制御し、スイッチＳ２６を上側（スイッチＳ２５側）に、スイッチＳ２７を下側（ＬＰＦ２２ｈ側）に切換える。
【０１１３】
ＤＡＣ２１ｄは、ＤＳＰから入力されるサラウンド左音声信号ＳＬ及びサラウンド後方左音声信号ＳＢＬの組合せＳＬ／ＳＢＬをデジタルアナログ変換し、サラウンド左音声信号ＳＬをＬＰＦ２２ｇに供給し、サラウンド左音声信号ＳＬの反転信号ＳＬ−をＬＰＦ２２ｈに供給する。サラウンド左音声信号ＳＬは、ＬＰＦ２２ｇで高周波成分が除去されて、差動回路２３ｄの正側入力端子に供給される。サラウンド左音声信号ＳＬの反転信号ＳＬ−は、ＬＰＦ２２ｈで高周波成分が除去されて、差動回路２３ｄの負側入力端子に供給される。差動回路２３ｄは、サラウンド左音声信号ＳＬの振幅値を倍増させて、スイッチＳ２３を介して音量調整部１４に供給する。音量調整部１４は、サラウンド左音声信号ＳＬを音量調整し、サラウンド左スピーカー端子１５ｆを介してサラウンド左スピーカーＳＳＬに供給する。
【０１１４】
ＤＡＣ２１ｅは、ＤＳＰから入力されるサラウンド右音声信号ＳＲ及びサラウンド後方右音声信号ＳＢＲの組合せＳＲ／ＳＢＲをデジタルアナログ変換し、サラウンド右音声信号ＳＲをＬＰＦ２２ｉに供給し、サラウンド右音声信号ＳＲの反転信号ＳＲ−をＬＰＦ２２ｊに供給する。サラウンド右音声信号ＳＲは、ＬＰＦ２２ｉで高周波成分が除去されて、差動回路２３ｅの正側入力端子に供給される。サラウンド右音声信号ＳＲの反転信号ＳＲ−は、ＬＰＦ２２ｊで高周波成分が除去されて、差動回路２３ｅの負側入力端子に供給される。差動回路２３ｅは、サラウンド右音声信号ＳＲの振幅値を倍増させて、スイッチＳ２５、Ｓ２６を介して音量調整部１４に供給する。音量調整部１４は、サラウンド右音声信号ＳＲを音量調整し、サラウンド右スピーカー端子１５ｈを介してサラウンド右スピーカーＳＳＲに供給する。
【０１１５】
なお、このときに、他のチャンネルのスピーカー端子からは、図４の実施形態と同様に、各チャンネルの音声信号がそれぞれ出力されてもよく、特定のチャンネルの音声信号が差動出力されても良い。
【０１１６】
以上に示すように、本実施形態によると、サブルーム左音声信号ＺＬ及びサブルーム右音声信号ＺＲの組合せＺＬ／ＺＲをデジタルアナログ変換するためのＤＡＣを、サラウンド右音声信号ＳＲ及びサラウンド後方右音声信号ＳＢＲの組合せＳＲ／ＳＢＲをデジタルアナログ変換するためのＤＡＣと兼用している。従って、サブルーム左音声信号ＺＬ及びサブルーム右音声信号ＺＲの組合せＺＬ／ＺＲをデジタルアナログ変換するための専用のＤＡＣを設ける必要がないので、ＤＡＣの数を削減することができる。なお、サブルーム左音声信号ＺＬ及びサブルーム右音声信号ＺＲを再生する場合には、ＤＡＣ２１に供給する音声信号を、図１０に示すようにサラウンド左音声信号ＳＬ及びサラウンド後方左音声信号ＳＢＬの組合せＳＬ／ＳＢＬから、図９に示すようにサラウンド左音声信号ＳＬ及びサラウンド右音声信号ＳＲの組合せＳＬ／ＳＲに変更している。従って、メインルームに配置されるメインルーム用スピーカーからは少なくとも基本の５．１チャンネルの音声信号（左音声信号Ｌ、右音声信号Ｒ、中央音声信号Ｃ、サラウンド左音声信号ＳＬ、サラウンド右音声信号ＳＲ、低域左音声信号ＳＷＬ）を再生しながら、サブルームに配置されるサブルーム用スピーカーからも音声信号を再生することができる。
【０１１７】
また、図１１、図１２に示すように、サラウンド後方左音声信号ＳＢＬと、左上側音声信号ＬＨとを入れ替えて、サラウンド後方右音声信号ＳＢＲと右上側音声信号ＲＨとを入れ替えた構成を採用してもよい。図１３、図１４に示すように、サラウンド後方左音声信号ＳＢＬの代わりに左中央側音声信号ＬＣを適用し、サラウンド後方右音声信号ＳＢＲの代わりに右中央側音声信号ＲＣを適用してもよい。
【０１１８】
これらを踏まえて上記実施形態におけるチャンネルを一般的に表現すると、図９、図１０において、サラウンド後方左音声信号ＳＢＬを拡張左音声信号と定義し、サラウンド後方右音声信号ＳＢＲを拡張右音声信号と定義する。そして、拡張左音声信号は、左外側音声信号ＬＷ、サラウンド後方左音声信号ＳＢＬ、左上側音声信号ＬＨおよび左中央側音声信号ＬＣのいずれかであればよい。同様に、拡張右音声信号は、右外側音声信号ＲＷ、サラウンド後方右音声信号ＳＢＲ、右上側音声信号ＲＨおよび右中央側音声信号ＲＣのいずれかであればよい。
【０１１９】
また、図１５、図１６に示すように、サラウンド左音声信号ＳＬと、左音声信号Ｌとを入れ替えて、サラウンド右音声信号ＳＲと右音声信号Ｒとを入れ替えた構成を採用してもよい。  これを踏まえて上記実施形態におけるチャンネルを一般的に表現すると、図９、図１０において、サラウンド左音声信号ＳＬを第１左音声信号と定義し、サラウンド右音声信号ＳＲを第１右音声信号と定義する。そして、第１左音声信号は、左音声信号ＳＬ及びサラウンド左音声信号ＳＬのいずれかであればよい。同様に、第１右音声信号は、右音声信号ＳＲ及びサラウンド右音声信号ＳＲのいずれかであればよい。
【０１２０】
なお、図１７に示すように、サラウンド後方左スピーカー端子１５ｇをサブルーム左スピーカー端子と兼用し、サラウンド後方右スピーカー端子１５ｉをサブルーム右スピーカー端子と兼用してもよい。この場合、サラウンド後方左スピーカー端子１５ｇには、サラウンド後方左スピーカーＳＳＢＬ及びサブルーム左スピーカーＳＺＬのいずれか一方が接続可能である。同様に、サラウンド後方右スピーカー端子１５ｉには、サラウンド後方右スピーカーＳＳＢＲ及びサブルーム右スピーカーＳＺＲのいずれか一方が接続可能である。また、図１７においては、図９と比較して、スイッチＳ２、Ｓ３、サブルーム左スピーカー端子１５ｎ、サブルーム右スピーカー端子１５ｏは削除されている。
【０１２１】
以上、本発明の好ましい実施形態を説明したが、本発明はこれらの実施形態には限定されない。ＡＶアンプの上記各動作をコンピュータに実行させるためのプログラムおよびこれを記録した記録媒体という形態で提供されてもよい。
【産業上の利用可能性】
【０１２２】
本発明は、ＡＶアンプ等に好適に採用され得る。
【符号の説明】
【０１２３】
１            ＡＶアンプ
２            制御部
３            ＨＤＭＩ受信部
４            ＨＤＭＩ送信部
５            音声処理部
６            操作部
７            表示部
８            ＨＤＭＩ端子
９            ＨＤＭＩ端子
１１            デジタルアナログ変換器
１２            低域通過フィルタ
１３            差動回路
１４            音量調整部
１５            スピーカー端子
【要約】
【課題】  メインルームに配置される機器に加えてサブルームに配置される機器に音声信号を出力する音声処理装置において、デジタルアナログ変換器の数を削減する。
【解決手段】  音声処理装置は、デジタル形式の拡張左音声信号及び拡張右音声信号が入力されてアナログ形式の拡張左音声信号及び拡張右音声信号を出力する、あるいは、デジタル形式のサブルーム用左音声信号及びサブルーム用右音声信号が入力されてアナログ形式のサブルーム用左音声信号及びサブルーム用右音声信号を出力するデジタルアナログ変換手段と、デジタルアナログ変換手段に、拡張左音声信号及び拡張右音声信号の組合わせ、又は、サブルーム用左音声信号及びサブルーム用右音声信号の組合わせのいずれを供給するかを切換える入力切換手段とを備える。
【選択図】図４【図１】
0005304923.tif 000002
【図２】
0005304923.tif 000003
【図３】
0005304923.tif 000004
【図４】
0005304923.tif 000005
【図５】
0005304923.tif 000006
【図６】
0005304923.tif 000007
【図７】
0005304923.tif 000008
【図８】
0005304923.tif 000009
【図９】
0005304923.tif 000010
【図１０】
0005304923.tif 000011
【図１１】
0005304923.tif 000012
【図１２】
0005304923.tif 000013
【図１３】
0005304923.tif 000014
【図１４】
0005304923.tif 000015
【図１５】
0005304923.tif 000016
【図１６】
0005304923.tif 000017
【図１７】
0005304923.tif 000018